(57)【特許請求の範囲】
【請求項１】
機器の筐体の筐体カバーに形成された開口部に取付けられる部品の取付構造であって、
上記部品の側面には、第１突出部が設けられており、
上記筐体には、上記第１突出部を挟み込むことによって、上記部品を、筐体本体における取付領域が形成されている表面に対して平行な方向に移動可能な状態で保持する保持部が設けられており、
上記部品の一部が上記開口部から露出するように上記部品が上記開口部に挿入されることにより、上記部品が上記筐体に対して固定されていることを特徴とする部品の取付構造。
【請求項２】
機器の筐体の筐体カバーに形成された開口部に取付けられる部品の取付構造であって、
上記筐体には、上記部品が上記開口部に挿入される前の仮固定状態において、上記部品を、筐体本体における取付領域が形成されている表面に対して平行な方向に移動可能な状態で保持する保持部が設けられており、
上記部品の一部が上記開口部から露出するように上記部品が上記開口部に挿入されることにより、上記部品が上記筐体に対して固定される本固定状態となり、
上記筐体カバーの内面における上記開口部の外縁を取り囲む領域からは、上記部品を上記筐体に対して固定するための第２突出部が上記開口部の中央に向けて延伸しており、
上記本固定状態において、上記第２突出部の先端が上記部品に当接していることを特徴とする部品の取付構造。
【請求項３】
機器の筐体の筐体カバーに形成された開口部に取付けられる部品の取付構造であって、
上記部品の側面には、第１突出部が設けられており、
上記筐体には、上記第１突出部を挟み込むことによって、上記部品を、筐体本体における取付領域が形成されている表面に対して平行な方向に移動可能な状態で保持する、弾性体で形成された保持部が設けられており、
上記部品の一部が上記開口部から露出するように上記部品が上記開口部に挿入されることにより、上記部品が上記筐体に対して固定されていることを特徴とする部品の取付構造。
【請求項４】
筐体の筐体カバーに形成された開口部に部品が取付けられた端末であって、
上記部品の側面には、第１突出部が設けられており、
上記筐体には、上記第１突出部を挟み込むことによって、上記部品を、筐体本体における取付領域が形成されている表面に対して平行な方向に移動可能な状態で保持する保持部が設けられており、
上記部品の一部が上記開口部から露出するように上記部品が上記開口部に挿入されることにより、上記部品が上記筐体に対して固定されていることを特徴とする端末。
【発明の詳細な説明】
【技術分野】
【０００１】
本発明は、機器の筐体の開口部に取付けられる部品の取付構造、および筐体の開口部に部品が取付けられた端末に関する。
【背景技術】
【０００２】
近年、筐体の開口部に電子デバイスをはじめとする部品が取付けられた機器について、当該機器の防水性・防塵性および小型化・薄型化を実現するための研究開発が進められてきた。例えば、特許文献１には、指紋センサ素子が組み込まれたセンサユニットと、センサホルダとの間に設けられ、かつ、センサホルダに形成された連通口を囲んで設けられた防水・防塵両面テープを備えた携帯電話機が開示されている。
【先行技術文献】
【特許文献】
【０００３】
【特許文献１】日本国公開特許公報「特開２０１３−７０２７１号公報（２０１３年４月１８日公開）」
【発明の概要】
【発明が解決しようとする課題】
【０００４】
特許文献１に開示された携帯電話機は、センサユニットとセンサホルダとが防水・防塵両面テープで接着された構造の指紋センサモジュールがリアケースに固定されており、指紋センサ素子がいくつかの部品を介してリアケースに固定される構造になっている。したがって、個々の部品の寸法公差、携帯電話機の製造時に生じる部品の取付誤差等を考慮して、リアカバーの開口部を設計しなければならなかった。すなわち、リアカバーの開口部に指紋センサモジュールを取付ける際、開口部周辺に指紋センサモジュールが衝突しないよう、開口部の大きさが指紋センサモジュールの大きさよりも十分に大きくなるように設計しなければならなかった。
【０００５】
しかし、リアカバーの開口部の大きさを指紋センサモジュールの大きさよりも十分に大きくした場合、指紋センサモジュールを開口部に取付けた状態で開口部と指紋センサモジュールとの離間距離の偏りが目立ち、結果、リアカバーの開口部周辺の外観が損なわれるという問題点があった。
【０００６】
本発明は、前記の問題点に鑑みてなされたものであり、その目的は、電子機器をはじめとする種々の機器について、その筐体の開口部の大きさと部品の大きさとの差をなるべく小さくし、開口部と部品との離間距離の偏りを目立たなくすることにある。
【課題を解決するための手段】
【０００７】
上記の課題を解決するために、本発明の一態様に係る部品の取付構造は、機器の筐体に形成された開口部に取付けられる部品の取付構造であって、上記筐体には、上記部品を、筐体本体における取付領域が形成されている表面に対して平行な方向に移動できる状態で保持する保持部が設けられており、上記部品の一部が上記開口部から露出するように上記部品が上記開口部に挿入されることにより、上記部品が上記筐体に対して固定されている。
【０００８】
また、上記の課題を解決するために、本発明の一態様に係る端末は、筐体に形成された開口部に部品が取付けられた端末であって、上記筐体には、上記部品を、筐体本体における取付領域が形成されている表面に対して平行な方向に移動可能な状態で保持する保持部が設けられており、上記部品の一部が上記開口部から露出するように上記部品が上記開口部に挿入されることにより、上記部品が上記筐体に対して固定されている。
【発明の効果】
【０００９】
本発明の一態様によれば、部品が保持部によって移動可能に保持されることによって筐体の開口部を部品に対して相対的に小さく形成することができ、部品が筐体に対して固定された状態における、開口部と部品との離間距離の偏りを目立たなくすることができる。
【図面の簡単な説明】
【００１０】
【図１】指紋センサが筐体本体に取付けられた状態を示す斜視図である。
【図２】（ａ）は、図１に示す指紋センサおよび筐体本体のＡ−Ａ線矢視断面図である。（ｂ）は、図１に示す指紋センサおよび筐体本体のＢ−Ｂ線矢視断面図である。
【図３】板金ツメによる第１突出部の保持状態を示す図である。
【図４】（ａ）は、指紋センサ、指紋センサ取付用部品および筐体本体を表した分解状態図である。（ｂ）は、指紋センサの取付けが完了した状態における、指紋センサ付近の外観を示す斜視図である。
【図５】（ａ）および（ｂ）は、本発明の実施形態１に係る取付構造が適用可能なスマートフォンの部品、および筐体の開口部の他の例を示す斜視図である。
【図６】（ａ）は、本発明の実施形態１に係る取付構造の変形例を示す断面図である。（ｂ）は、本発明の実施形態１に係る取付構造の他の変形例を示す斜視図である。
【図７】本発明の実施形態２に係る取付構造の概略構成を示す断面図である。
【図８】本発明の実施形態３に係る取付構造の概略構成を示す断面図である。
【発明を実施するための形態】
【００１１】
〔実施形態１〕
以下、本発明の一実施形態に係る取付構造について、図１〜図６を参照しながら、詳細に説明する。なお、本実施形態以下の各実施形態では、本発明の各実施形態に係る部品の取付構造がスマートフォンに適用されている場合を例に挙げて説明する。しかしながら、本発明の各実施形態に係る部品の取付構造は、スマートフォンに限らず、例えば、携帯電話機またはタブレット端末等の電子機器の他、筐体の開口部に部品が取付けられる構造の機器であればどのような機器にも適用することができる。
【００１２】
＜スマートフォンの筐体への指紋センサの取付け＞
まず、図１〜図３を参照して、スマートフォン１００への指紋センサ１の取付けについて説明する。図１は、指紋センサ１がスマートフォン１００の筐体本体６に取付けられた状態を示す斜視図である。図２の（ａ）は、図１に示す指紋センサ１および筐体本体６のＡ−Ａ線矢視断面図である。図２の（ｂ）は、図１に示す指紋センサ１および筐体本体６のＢ−Ｂ線矢視断面図である。図３は、板金ツメ８による第１突出部１ｃの保持状態を示す図である。
【００１３】
スマートフォン１００（機器、端末）は、パーソナルコンピュータ・ＰＤＡ（PersonalDigital Assistant：携帯情報端末）等の機能を併せ持った多機能の携帯電話機であり、筐体７の内部には、ＩＣチップ、メモリ等の各種電子部品（不図示）が内蔵されている。また、筐体７は、筐体本体６と筐体カバー９とで構成されており、筐体本体６に筐体カバー９を組付けることによって筐体７が形成される（図２の（ｂ）参照）。
【００１４】
（筐体本体への指紋センサの取付け）
まず、指紋センサ１は、図１および図２の（ａ）・（ｂ）に示すように、スマートフォン１００の筐体本体６（筐体）の表面における取付領域６ａに取付けられる。具体的には、まず、両面テープ４および５によって指紋センサＧＮＤ板金２が取付領域６ａに接着される。次に、指紋センサＧＮＤ板金２の板金ツメ８によって指紋センサ１の第１突出部１ｃが挟み込まれ、指紋センサ１における連結部１ｄの根元付近の部位が押えテープ３で留められることにより、指紋センサ１が筐体本体６の取付領域６ａに取付けられる。以下、指紋センサ１が筐体本体６の取付領域６ａに取付けられた状態を「仮固定状態」とする。
【００１５】
指紋センサ１（部品）は、指紋認証において、指紋のパターンを読み取るために用いられるデバイスであり、指紋を読み取る方式として電荷の量を感知する静電容量型を採用している。なお、指紋センサ１には、指紋を読み取る方式として熱を感知する感熱型、撮影した指紋の紋様を解析する光学型などが採用されたデバイスを用いてもよい。
【００１６】
また、指紋センサ１は、平面視でトラック円形状のセンサ本体１ａ、取付板１ｂ、第１突出部１ｃ、連結部１ｄおよびフレキシブルプリント基板１ｅを備えている（図４の（ａ）参照）。
【００１７】
取付板１ｂは板状の部位であり、取付板１ｂ上にセンサ本体１ａが搭載されたような構造になっている。第１突出部１ｃは、センサ本体１ａにおける、平面視で円形状の端部の一方（部品の側面）側に設けられている板状の部位である。具体的には、取付板１ｂにおける短手方向の端部の一方から突出している。この第１突出部１ｃが、後述する板金ツメ８（保持部）によって保持される。連結部１ｄは、取付板１ｂにおける短手方向の端部の他方から延伸しており、フレキシブルプリント基板１ｅとセンサ本体１ａと連結する部位である（図４の（ａ）参照）。
【００１８】
指紋センサＧＮＤ板金２はＧＮＤ用の金属製部材であり、板金本体２ａおよび板金ツメ８を備えている。指紋センサＧＮＤ板金２の成形に用いられる金属材料としては、例えばばね性を有するＳＵＳ材板金が用いられる。
【００１９】
板金本体２ａは板状の部位であり、両面テープ４と接着する。また、板金本体２ａの外形・大きさは、筐体本体６の取付領域６ａおよび指紋センサ１のセンサ本体１ａの外形・大きさと略同一となっている。
【００２０】
板金ツメ８は、指紋センサ１を、筐体本体６における取付領域６ａが形成されている表面（筐体の表面）と平行な方向に移動可能な状態で保持する部位であり、板金本体２ａにおける短手方向の端部の一端に設けられている。図２の（ａ）および図３に示すように、板金ツメ８の形状は断面コ字形状であり、指紋センサ１を筐体本体６の取付領域６ａに取付ける際に、指紋センサ１の第１突出部１ｃの端部を挟み込む。
【００２１】
なお、本実施形態においては、板金ツメ８は、第１突出部１ｃの全てを挟み込む大きさになっているが、第１突出部１ｃの一部を挟み込む程度の大きさであってもよい。
【００２２】
また、図２の（ａ）に示すように、仮固定状態では、第１突出部１ｃの先端と板金ツメ８における前記先端と対向する面との間には、隙間が形成される。（i）この隙間が形成されること、および（ii）押えテープ３によって留められている指紋センサ１の連結部１ｄの部位についても、力を加えることによって変位できることから、指紋センサ１を、筐体本体６における取付領域６ａが形成されている表面と平行な方向（以下、「平行方向」と略記する）に移動させることが可能となる。
【００２３】
（筐体カバーの開口部への指紋センサの取付け）
次に、指紋センサ１は、図２の（ｂ）に示すように、筐体カバー９（筐体）の開口部９ａからセンサ本体１ａの一部（部品の一部）が露出するように開口部９ａに取付けられることによりスマートフォン１００の筐体７への取付けが完了する。なお、図２の（ｂ）の筐体カバー９は、筐体本体６に仮想的に組付けられていることから、同図において、筐体カバー９は破線で示されている。
【００２４】
具体的には、センサ本体１ａを、筐体カバー９の内面９ｃにおける、筐体本体６の取付領域６ａの形成位置に対応する位置に形成された開口部９ａに挿入しつつ、筐体カバー９を筐体本体６に組付ける。この組付けが完了することによって、指紋センサ１がスマートフォン１００の筐体７に対して固定される（図４の（ｂ）参照）。以下、指紋センサ１が筐体７に対して固定された状態を「本固定状態」とする。
【００２５】
センサ本体１ａの一部を筐体カバー９の開口部９ａから露出させる際、指紋センサ１は仮固定状態であることから、筐体本体６の取付領域６ａに対する指紋センサ１の取付位置を、開口部９ａにセンサ本体１ａを挿入できる位置まで適宜変位させることができる。それゆえ、センサ本体１ａが開口部９ａの周辺に衝突する等して開口部９ａに挿入できないといった事態を回避することができる。
【００２６】
また、筐体カバー９の内面９ｃ（筐体の内面）における、開口部９ａの外縁を取り囲む領域には、第２突出部９ｂが開口部９ａの外周に沿って設けられている。この第２突出部は、指紋センサ１を筐体７に対して固定するための部位であり、上記開口部９ａの外縁を取り囲む領域から開口部９ａの中央９ａ−１に向けて延伸している。
【００２７】
本固定状態（部品の一部が開口部から露出するように部品が開口部に挿入され、部品が筐体に対して固定された状態）では、第２突出部９ｂの先端がセンサ本体１ａの側面（部品）に当接する。この当接によって、指紋センサ１の平行方向のあらゆる移動が第２突出部９ｂによって規制され、指紋センサ１の筐体７に対する固定がより確実になる。また、本固定状態では、指紋センサ１の垂直方向の移動は、指紋センサＧＮＤ板金２の板金ツメ８と押えテープ３とによって規制される（図４の（ｂ）参照）。ここで、「垂直方向」とは、センサ本体１ａの表面と垂直をなす方向を指す。
【００２８】
上述のように、仮固定状態で指紋センサ１の取付位置を適宜調整しつつ、本固定状態で指紋センサ１の平行方向の移動を第２突出部９ｂによって規制できることから、筐体カバー９の開口部９ａの大きさをセンサ本体１ａの大きさに近づけることができる。すなわち、開口部９ａの大きさがなるべく小さくなるように形成することができる。それゆえ、本固定状態における、開口部９ａに対するセンサ本体１ａの露出部分の離間距離の偏りが目立たなくなり、当該露出部分周辺の外観の悪化が低減される。
【００２９】
これら指紋センサ１の第１突出部１ｃ、指紋センサＧＮＤ板金２の板金ツメ８および筐体カバー９の第２突出部９ｂによって、指紋センサ１（機器の筐体に形成された開口部に取付けられる部品）の取付構造１０（以下、「取付構造１０」と略記する）が構成される。
【００３０】
なお、本実施形態に係る取付構造１０は、仮固定状態において第１突出部１ｃを板金ツメ８で挟み込む構造になっているが、仮固定状態の態様はこの場合に限定されない。例えば、指紋センサ１に第１突出部１ｃが設けられていなくても、仮固定状態を実現することはできる。具体的には、センサ本体１ａの側面および筐体本体６の表面に、両面テープ（不図示）を介してゴムシート等の弾性のあるシート（不図示：図８参照）を接着させることによって、仮固定状態が実現される。この場合、ゴムシートの弾性変形を利用して、指紋センサ１を平行方向に適宜変位させる。
【００３１】
また、本実施形態では、第２突出部９ｂの先端がセンサ本体１ａの側面に当接することによって本固定状態となるが、第２突出部９ｂ以外の部位によって指紋センサ１が最終的に固定されてもよい。換言すれば、指紋センサ１の一部が筐体カバー９の開口部９ａから露出するように当該指紋センサ１が開口部９ａに挿入されることによって、指紋センサ１が筐体７に対して固定されるような構造を、例えば筐体カバー９が有していればよい。
【００３２】
＜スマートフォンの筐体への指紋センサの取付方法＞
次に、図４を参照して、スマートフォン１００の筐体７への指紋センサ１の取付方法について説明する。図４の（ａ）は、指紋センサ１、指紋センサ取付用部品および筐体本体６を表した分解状態図である。図４の（ｂ）は、本固定状態における、指紋センサ１付近の外観を示す斜視図である。なお、「指紋センサ取付用部品」とは、指紋センサＧＮＤ板金２、押えテープ３および両面テープ４・５を指す。
【００３３】
まず、図４の（ａ）に示すように、筐体本体６の取付領域６ａに両面テープ５を貼り付ける。両面テープ５の外形は取付領域６ａの外形と略同一の長方形状であり、取付領域６ａに形成された長方形状のフレキ通過用開口部６ａ−１と略同一形状の開口部５ａが形成されている。また、両面テープ５が取付領域６ａに接着した状態において、開口部５ａの配置位置はフレキ通過用開口部６ａ−１の形成位置と略同一の位置となる（不図示）。さらに、指紋センサ１の連結部１ｄおよびフレキシブルプリント基板１ｅを、開口部５ａおよびフレキ通過用開口部６ａ−１から筐体本体６の内部に入り込ませることにより、フレキシブルプリント基板１ｅを所定の位置に配置する（図２の（ａ）参照）。
【００３４】
次に、両面テープ４を両面テープ５の表面に貼り付ける。両面テープ４は両面テープ５と同一形状であり、フレキ通過用開口部６ａ−１および両面テープ４の開口部４ａと略同一形状の開口部５ａが形成されている。また、両面テープ４および５が取付領域６ａに対して層状に接着した状態において、開口部４ａおよび５ａの各配置位置はフレキ通過用開口部６ａ−１の形成位置と略同一の位置となる（不図示）。
【００３５】
次に、両面テープ４の表面に指紋センサＧＮＤ板金２、具体的には板金本体２ａを接着させる。そして、指紋センサＧＮＤ板金２の板金ツメ８に指紋センサ１の第１突出部１ｃを挟み込ませるとともに、指紋センサ１における連結部１ｄの根元付近の部位を押えテープ３で留められることにより、仮固定状態となる（図１参照）。
【００３６】
次に、筐体本体６の取付領域６ａに対する指紋センサ１の取付位置を、開口部９ａにセンサ本体１ａを挿入できる位置まで適宜変位させつつ、センサ本体１ａを筐体カバー９の開口部９ａに挿入する。そして、センサ本体１ａの一部が開口部９ａから露出するように筐体カバー９を筐体本体６に組付けることにより、図４の（ｂ）に示すような本固定状態となる。
【００３７】
＜取付構造の適用対象＞
次に、図５を参照して、取付構造１０の適用対象について説明する。図５（ａ）および（ｂ）は、取付構造１０が適用可能なスマートフォン１００の部品、および筐体７の開口部の他の例を示す斜視図である。
【００３８】
指紋センサ１の第１突出部１ｃ、指紋センサＧＮＤ板金２の板金ツメ８および筐体カバー９の第２突出部９ｂで構成される取付構造１０は、筐体カバー９の開口部９ａに取付ける指紋センサ１のみの適用に限定されるわけではない。
【００３９】
すなわち、筐体７のいずれかの開口部からその一部が露出し、かつ、第１突出部１ｃのような突出部を設けることが可能なスマートフォン１００の部品であれば、取付構造１０を適用できる。また、板金ツメ８のようなスマートフォン１００の部品を平行方向に移動可能な状態で保持できる保持部を、例えば筐体本体６に設けることによって、取付構造１０を適用できる。さらには、筐体７のいずれかの開口部において、第２突出部９ｂのような突出部が形成されていれば、当該開口部に対しても取付構造１０を適用できる。
【００４０】
例えば、図５の（ａ）に示すような、平面視でそれぞれ円形のカメラリング１０１およびピクチャライト窓１０２に対しても取付構造１０を適用できる。また例えば、図５の（ｂ）に示すような、ＩＲ−ＤＡ（Infrared Data Association：赤外線通信）窓１０３に対しても取付構造１０を適用できる。この場合、これら各部品が取付けられる筐体７・７ａの各開口部の外周に沿って、第２突出部９ｂと同様の機能を果たす突出部が形成されている。
【００４１】
また、本実施形態では、開口部９ａは筐体７の側面に形成されているが、図５の（ａ）および（ｂ）に示すように、本発明の一実施形態に係る筐体７・７ａの背面に形成された開口部に対しても、取付構造１０を適用できる。さらには、本発明の一実施形態に係る筐体の正面に形成された開口部に対しても、取付構造１０を適用できる（不図示）。
【００４２】
＜取付構造の変形例＞
次に、図６を参照して、取付構造１０の変形例について説明する。図６の（ａ）は、取付構造１０の変形例を示す断面図である。図６の（ｂ）は、取付構造１０の他の変形例を示す斜視図である。なお、説明の簡略化のため、図６の（ａ）において、筐体カバー９に設けられている第２突出部９ｂは省略している。図７および図８についても同様である。
【００４３】
本実施形態に係る取付構造１０において、例えば本発明の一実施形態に係る第１突出部の個数・配置、および本発明の一実施形態に係る板金ツメの個数・配置については、様々な変形例が想定される。
【００４４】
例えば、図６の（ａ）に示すように、第１突出部１ｃを、指紋センサ１の取付板１ｂにおける連結部１ｄの根元１ｄ−１と同じ位置に、さらに設けてもよい。すなわち、第１突出部１ｃを２つ設けてもよい。この場合、さらに、追加された第１突出部１ｃを保持するための板金ツメ８も、指紋センサＧＮＤ板金２に設けることとなる。追加された板金ツメ８は、板金本体２ａの短手方向の側面における、追加の第１突出部１ｃの取付位置に対応する位置に設けられる。
【００４５】
このように、取付板１ｂの短手方向に第１突出部１ｃ（および、対応する板金ツメ８）をさらに設けることにより、仮固定状態における指紋センサ１の平行方向の移動、特に筐体７における長手方向の移動がより規制される。それゆえ、指紋センサ１の固定位置を適切に調整しつつ、本固定状態における指紋センサ１の固定がより強固となる。
【００４６】
また例えば、図６の（ｂ）に示すように、指紋センサ１において２つの第１突出部１ｆをさらに設けてもよい。具体的には、取付板１ｂにおける長手方向の２つの側面から、それぞれ板状の第１突出部１ｆが突出している。この場合、さらに、追加された２つの第１突出部１ｆをそれぞれ保持するための板金ツメ８ａも、指紋センサＧＮＤ板金２に設けることとなる。追加された２つの板金ツメ８ａは板金ツメ８と略同一の断面コ字形状であり、板金本体２ａの長手方向の２つの側面における、２つの第１突出部１ｆの取付位置に対応する位置に設けられる。
【００４７】
このように、取付板１ｂの長手方向に２つの第１突出部１ｆ（および、対応する２つの板金ツメ８ａ）をさらに設けることにより、仮固定状態における指紋センサ１の平行方向の移動、具体的には筐体７における長手方向および短手方向の移動がより規制される。それゆえ、指紋センサ１の固定位置を適切に調整しつつ、本固定状態における指紋センサ１の固定がより強固となる。
【００４８】
なお、第１突出部１ｆは２つ設けられていなくてもよく、例えば、取付板１ｂの長手方向の側面のいずれか一方に設けられていてもよい（不図示）。
【００４９】
〔実施形態２〕
本発明の他の実施形態について、図７に基づいて説明すれば、以下のとおりである。なお、説明の便宜上、前記実施形態にて説明した部材と同じ機能を有する部材については、同じ符号を付記し、その説明を省略する。
【００５０】
本実施形態に係る取付構造２０は、板金ツメ８に代えて、凸部６ｂおよびＰＥＴ（PolyEthylene Terephthalate：ポリエチレンテレフタラート）シート６ｃを備えている点で、実施形態１に係る取付構造１０と異なる。また、本実施形態に係る取付構造２０は、第１突出部１ｃが２つ設けられている点でも、実施形態１に係る取付構造１０と異なる。
【００５１】
＜取付構造の構成＞
図７を参照して、取付構造２０の構成について説明する。図７は、取付構造２０の概略構成を示す断面図である。図７に示すように、筐体本体６の取付領域６ａにおける短手方向の両端には、直方体形状の凸部６ｂがそれぞれ形成されている。また、２つの凸部６ｂの筐体カバー９と対向する面には、それぞれ両面テープ６ｄが貼り付けられている。一方、指紋センサ１の取付板１ｂにおける連結部１ｄの根元１ｄ−１と同じ位置には、第１突出部１ｃがさらに設けられている。
【００５２】
指紋センサ１を筐体本体６の取付領域６ａに配置した状態において、板状のＰＥＴシート６ｃを両面テープ６ｄに重ね合わせて貼り付けることにより、２つの第１突出部１ｃをそれぞれ挟み込む。
【００５３】
これら２つの凸部６ｂ、および２枚のＰＥＴシート６ｃで、指紋センサ１を平行方向に移動可能な状態で保持する保持部が構成される。具体的には、仮固定状態において、２つの第１突出部１ｃのそれぞれの先端と凸部６ｂとの間に隙間８ｄが形成され、（i）取付領域６ａ、（ii）２つの凸部６ｂ、および（iii）２枚のＰＥＴシート６ｃで囲まれる空間が指紋センサ１の摺動エリアとなる。
【００５４】
筐体本体６への筐体カバー９の組付けによる本固定状態への移行、および本固定状態における指紋センサ１の固定態様については、実施形態１に係る取付構造１０と同様である。これら２つの凸部６ｂ、２枚のＰＥＴシート６ｃ、および第２突出部９ｂで、取付構造２０が構成される。
【００５５】
なお、本実施形態において、ＰＥＴシート６ｃは第１突出部１ｃの全てを挟み込む大きさになっているが（不図示）、第１突出部１ｃの一部を挟み込む程度の大きさであってもよい。また、両面テープ６ｄに重ね合わせるシートはＰＥＴシート６ｃに限らず、指紋センサ１を筐体本体６に対して保持できる程度の弾性を有するプラスチック製のシートであれば、どのようなものであってもよい。さらに、凸部６ｂの厚さは図７の場合に限定されず、第１突出部１ｃの厚さ等に応じて任意に設計変更してもよい。
【００５６】
〔実施形態３〕
本発明の他の実施形態について、図８に基づいて説明すれば、以下のとおりである。なお、説明の便宜上、前記実施形態にて説明した部材と同じ機能を有する部材については、同じ符号を付記し、その説明を省略する。
【００５７】
本実施形態に係る取付構造３０は、板金ツメ８、凸部６ｂおよびＰＥＴシート６ｃに代えて、ゴムシート６ｅを備えている点で、実施形態１・２に係る取付構造１０・２０と異なる。また、本実施形態に係る取付構造３０は、第１突出部１ｃが２つ設けられている点でも、実施形態１に係る取付構造１０と異なる。
【００５８】
＜取付構造の構成＞
図８を参照して、取付構造３０の構成について説明する。図８は、取付構造３０の概略構成を示す断面図である。図８に示すように、指紋センサ１の取付板１ｂにおける連結部１ｄの根元１ｄ−１と同じ位置には、第１突出部１ｃがさらに設けられている。
【００５９】
指紋センサ１を筐体本体６の取付領域６ａに配置した状態において、板状の２枚のゴムシート６ｅで、２つの第１突出部１ｃをそれぞれ挟み込む。この時、第１突出部１ｃとゴムシート６ｅとは両面テープ６ｄによって接着される。同じように、筐体本体６とゴムシート６ｅとは両面テープ６ｄによって接着される。
【００６０】
ゴムシート６ｅは、例えばゴム材料、ないしゴム様弾性を有する弾性材料（弾性体）で形成されている。指紋センサ１を筐体本体６に対して保持できる程度の弾性を有する弾性体で形成されたシートであれば、どのようなものであってもよい。また、ゴムシート６ｅに代えて、板状のクッション等を保持部として用いてもよい。
【００６１】
これら２枚のゴムシート６ｅで、指紋センサ１を平行方向に移動可能な状態で保持する保持部が構成される。具体的には、ゴムシート６ｅの弾性変形を利用して、筐体本体６の取付領域６ａに対する指紋センサ１の取付位置を、開口部９ａにセンサ本体１ａを挿入できる位置まで適宜変位させる。
【００６２】
筐体本体６への筐体カバー９の組付けによる本固定状態への移行、および本固定状態における指紋センサ１の固定態様については、実施形態１・２に係る取付構造１０・２０と同様である。これら２枚のゴムシート６ｅ、および第２突出部９ｂで、取付構造３０が構成される。
【００６３】
なお、本実施形態において、ゴムシート６ｅは第１突出部１ｃの全てを挟み込む大きさになっているが（不図示）、第１突出部１ｃの一部を挟み込む程度の大きさであってもよい。
【００６４】
〔まとめ〕
本発明の態様１に係る部品の取付構造（１０、２０、３０）は、機器（スマートフォン１００）の筐体（７）に形成された開口部（９ａ）に取付けられる部品（指紋センサ１）の取付構造であって、上記筐体には、上記部品を、筐体本体（６）における取付領域（６ａ）が形成されている表面に対して平行な方向に移動可能な状態で保持する保持部（板金ツメ８および８ａ、凸部６ｂ、ＰＥＴシート６ｃ）が設けられており、上記部品の一部が上記開口部から露出するように上記部品が上記開口部に挿入されることにより、上記部品が上記筐体に対して固定されている。
【００６５】
上記構成によれば、部品が保持部によって保持された状態において、部品を平行方向に移動できる。したがって、部品の一部を筐体の開口部から露出させる際に、部品が開口部の周辺に衝突する等して当該部品の一部を開口部に挿入できなくなることがないよう、部品の保持位置を適宜調整することができる。それゆえ、部品の寸法公差、および開口部の配置位置に対する部品の保持位置のずれ等を考慮することなく部品の一部を開口部から露出させることができ、部品を開口部に挿入することによって当該部品を筐体に対して固定することができる。
【００６６】
以上より、部品の寸法公差等を考慮して筐体の開口部の大きさを部品の大きさよりも十分に大きくなるように形成する必要がなく、開口部を部品に対して相対的に小さく形成することができる。それゆえ、部品が筐体に対して固定された状態における、筐体の開口部と部品との離間距離の偏りを目立たなくすることができる。
【００６７】
本発明の態様２に係る部品の取付構造は、上記態様１において、上記部品の側面には、第１突出部（１ｃ、１ｆ）が設けられており、上記保持部は、上記第１突出部を挟み込むことによって、上記部品を上記筐体の表面と平行な方向に移動できる状態で保持することが好ましい。
【００６８】
上記構成によれば、第１突出部、すなわち保持部によって保持される被保持部位が部品に設けられている。したがって、例えば、部品に被保持部位（第１突出部を含む）が全く設けられていない場合に比べて、保持部によって部品がより確実に保持される。それゆえ、部品が筐体に対して固定された状態における、筐体の開口部と部品との離間距離の偏りを目立たなくしつつ、部品を筐体に対してより確実に固定することができる。
【００６９】
本発明の態様３に係る部品の取付構造は、上記態様１または２において、上記筐体の内面（９ｃ）における上記開口部の外縁を取り囲む領域からは、上記部品を上記筐体に対して固定するための第２突出部（９ｂ）が上記開口部の中央（９ａ−１）に向けて延伸しており、上記第２突出部の先端が上記部品に当接していることが好ましい。
【００７０】
上記構成によれば、部品の一部が筐体の開口部から露出した状態において、第２突出部の先端が部品に当接していることから、部品の平行方向の移動が第２突出部によって規制される。それゆえ、部品が筐体に対して固定された状態における、筐体の開口部と部品との離間距離の偏りを目立たなくしつつ、部品を筐体に対してより確実に固定することができる。
【００７１】
また、部品が筐体に対して固定された状態において、筐体の開口部から筐体の厚さ方向に形成されている内壁と部品の側面との間に生じる隙間の、全部または一部が第２突出部によって塞がれることから、機器の防塵性・防水性をも向上させることができる。
【００７２】
本発明の態様４に係る部品の取付構造（３０）は、上記態様１から３のいずれかにおいて、上記保持部（ゴムシート６ｅ）は、弾性体で形成されていることが好ましい。
【００７３】
上記構成によれば、例えば、保持部が金属材料で形成されている場合に比べて、筐体の開口部の配置位置に対する部品の保持位置の調整を容易かつ柔軟に行うことができる。それゆえ、部品が筐体に対して固定された状態における、筐体の開口部と部品との離間距離の偏りを目立たなくしつつ、部品を筐体に対して容易に固定することができる。
【００７４】
また一般に、弾性体は、金属材料等に比べて軽量であるとともに加工が容易であることから、保持部を弾性体で形成することにより機器の軽量化を図ることができる。また、保持部を所望する形状・大きさ等に容易に加工することができ、部品の形状・大きさ等に適合した保持部を設け易くなる。
【００７５】
本発明の態様５に係る端末（スマートフォン１００）は、筐体（７）に形成された開口部（９ａ）に部品（指紋センサ１）が取付けられた端末であって、上記筐体には、上記部品を、筐体本体（６）における取付領域（６ａ）が形成されている表面に対して平行な方向に移動可能な状態で保持する保持部（板金ツメ８および８ａ、凸部６ｂ、ＰＥＴシート６ｃ）が設けられており、上記部品の一部が上記開口部から露出するように上記部品が上記開口部に挿入されることにより、上記部品が上記筐体に対して固定されている。
【００７６】
上記構成によれば、開口部を部品に対して相対的に小さく形成することができ、部品が筐体に対して固定された状態における、筐体の開口部と部品との離間距離の偏りが目立たない端末を実現することができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７８】
１  指紋センサ（部品）
１ｃ、１ｆ  第１突出部
６  筐体本体（筐体）
６ｂ  凸部（保持部）
６ｃ  ＰＥＴシート（保持部）
６ｅ  ゴムシート（保持部）
７  筐体
８、８ａ  板金ツメ（保持部）
９  筐体カバー（筐体）
９ａ  開口部
９ａ−１  中央
９ｂ  第２突出部
９ｃ  内面
１０、２０、３０  指紋センサの取付構造（部品の取付構造）
１００  スマートフォン（機器、端末）
【図１】
0006764937.tif 000002
【図２】
0006764937.tif 000003
【図３】
0006764937.tif 000004
【図４】
0006764937.tif 000005
【図５】
0006764937.tif 000006
【図６】
0006764937.tif 000007
【図７】
0006764937.tif 000008
【図８】
0006764937.tif 000009